(57)【要約】【課題】手袋の清潔面の立体性を改良すること。【解決手段】基礎布と静電気により集塵する静電布との間に、一つ又は一つ以上のパッドを設置して手袋の清潔面の表面を立体的に突出して形成する。【選択図】図５
0003128788.tif 000002
【実用新案登録請求の範囲】
【請求項１】
埃を集塵する立体手袋において、
互いに局部を連結した一枚の上薄片と、一枚の下薄片とから構成され、
前記上下薄片のいずれの清潔面には、立体的に突出する箇所を形成し、
前記上薄片と下薄片は、基礎布と、塵埃を除く静電布とから組成され、
二枚の基礎布と塵埃を除く静電布の間に、複数のパッドを挟んで設けて薄片の表面の清潔面に立体的に突出する箇所を形成したことを特徴とする、
埃を集塵する立体手袋。
【請求項２】
請求項１に記載の埃を集塵する立体手袋において、埃を集塵する立体手袋の手袋本体の密封したクローズド面の外縁における密封されていない上薄片と下薄片とをクローズド面の弧面に沿って裁断して、複数の絨薄片を縦横に交差するように配列し、該複数の絨薄片が細くて小さい隙間に進入可能であることを特徴とする、埃を集塵する立体手袋。
【請求項３】
請求項１に記載の埃を集塵する立体手袋において、手袋本体の上薄片又は下薄片に溝槽を形成し、前記溝槽と溝槽との交差している内に凸体を形成し、凸体と凸体との間に、網格子状の配列を形成し、塵埃を拭くときに凸体と溝槽との間における間隔距離の差を利用して清潔面と接触面との間の摩擦係数を向上させるように構成したことを特徴とする、埃を集塵する立体手袋。
【請求項４】
請求項２記載の埃を集塵する立体手袋において、様々な隙間の異なるニーズを満足するように、絨薄片が円錐状を呈することを特徴とする、埃を集塵する立体手袋。
【請求項５】
請求項１記載の埃を集塵する立体手袋において、より高く立体的に突出すようにパッドを積み重ねたことを特徴とする、埃を集塵する立体手袋。
【請求項６】
請求項１記載の埃を集塵する立体手袋において、パッドを下薄片にも入れたことを特徴とする、埃を集塵する立体手袋。
【考案の詳細な説明】
【技術分野】
【０００１】
本考案は埃を集塵する手袋に関し、特に塵埃を集塵する立体手袋に関するものである。
【背景技術】
【０００２】
従来から市場には、埃を取り除く手袋が知られている。従来の手袋はその表面がほぼ平面状を呈している。手袋本体の外縁に絨の薄片を設置している。
従来の手袋は細くて小さい隙間に進入して清潔に掃除ができるが、従来の手袋は、塵埃を取り除いた手袋表面の清潔効果を改善することができなかった。
【０００３】
例を挙げると、日本の実用新案登録第３０９０１７８号には静電気で以って埃を集塵する手袋が開示されている。
この手袋は主に、対応した一枚の上薄片と、一枚の下薄片とから構成される。超音波熔接機で、上下の薄片の表縁の適当な対応箇所を密封するように、クローズド(closed)加工をして、手袋本体を形成している。
使用者（user）は手袋内に手を入れて使用する。
【考案の開示】
【考案が解決しようとする課題】
【０００４】
先行する従来の手袋は埃を集塵する手袋の清潔面の立体性を改良する必要があった。
【課題を解決するための手段】
【０００５】
上記した従来から既知の欠点を改善するために、本考案に係る埃を集塵する立体手袋は、主に、埃を集塵する立体手袋の基礎布と塵埃を除く布との間に、一つ又は一つ以上のパッド（pad）を設置した立体手袋を提供する。
本考案は、埃を集塵する立体手袋の清潔面が立体状となる。大量の汚れや塵を集塵する立体手袋の清潔面における一つ、又は一つ以上の立体空間に集める。同時に、清潔面が立体状を呈するため、摩擦力を集中できて、塵埃や汚れを削り取ったり収容したりできるという効果にも役立つ。
【０００６】
本願の第１考案は、埃を集塵する立体手袋において、互いに局部を連結した一枚の上薄片と、一枚の下薄片とから構成され、前記上下薄片のいずれの清潔面には、立体的に突出する箇所を形成し、前記上薄片と下薄片は、基礎布と、塵埃を除く静電布とから組成され、二枚の基礎布と塵埃を除く静電布の間に、複数のパッドを挟んで設けて薄片の表面の清潔面に立体的に突出する箇所を形成したことを特徴とする、埃を集塵する立体手袋を提供する。
本願の第２考案は、前記第１考案に記載の埃を集塵する立体手袋において、埃を集塵する立体手袋の手袋本体の密封したクローズド面の外縁における密封されていない上薄片と下薄片とをクローズド面の弧面に沿って裁断して、複数の絨薄片を縦横に交差するように配列し、該複数の絨薄片が細くて小さい隙間に進入可能であることを特徴とする、埃を集塵する立体手袋を提供する。
本願の第３考案は、前記第１考案に記載の埃を集塵する立体手袋において、手袋本体の上薄片又は下薄片に溝槽を形成し、前記溝槽と溝槽との交差している内に凸体を形成し、凸体と凸体との間に、網格子状の配列を形成し、塵埃を拭くときに凸体と溝槽との間における間隔距離の差を利用して清潔面と接触面との間の摩擦係数を向上させるように構成したことを特徴とする、埃を集塵する立体手袋を提供する。
本願の第４考案は、前記第２考案に記載の埃を集塵する立体手袋において、様々な隙間の異なるニーズを満足するように、絨薄片が円錐状を呈することを特徴とする、埃を集塵する立体手袋を提供する。
本願の第５考案は、前記第１考案に記載の埃を集塵する立体手袋において、より高く立体的に突出すようにパッドを積み重ねたことを特徴とする、埃を集塵する立体手袋を提供する。
本願の第５考案は、前記第１考案に記載の埃を集塵する立体手袋において、パッドを下薄片にも入れたことを特徴とする、埃を集塵する立体手袋を提供する。
【考案の効果】
【０００７】
本考案は、埃を集塵する立体手袋の清潔面が立体状を呈するため、大量の汚れや塵を立体手袋の清潔面に形成された一つ、又は一つ以上の立体的な空間に集塵することかできる。
さらに清潔面が立体形状を呈するため、摩擦力を集中できて、塵埃を取り除いたり汚れを削り取ったり、これらを収容したりできるという効果がある。
【考案を実施するための最良の形態】
【０００８】
本考案の他の特徴及び具体的な実施例は、後続の詳しく説明及び図示よりさらに了解できる。
【０００９】
図１を参照して説明する。
本考案に係る立体手袋は、対応した一枚の上薄片１と、一枚の下薄片２とから構成される。
図２に示すように、上薄片１と下薄片２の表縁の適当な対応する箇所を密封するように、超音波溶接機で密封加工を施しクローズド面（封止部）４を形成して、ユーザ（user）の手がその中に入るように手袋本体３を形成する。
【００１０】
手袋本体３のクローズド面４の外縁における未密封の上薄片１と下薄片２とをクローズド面４の弧面に沿って裁断して複数の絨薄片７を形成する。
絨薄片７は縦横方向に交差するように配列されて形成される。
絨薄片７は細くて小さい隙間に進入して多角度に接触する面を提供することができる。これにより、隙間の隅々に接触するチャンス（chance）が向上して、隙間内の塵埃を徹底的に取り除く効果を達成できる。
【００１１】
また図２に示すように、手袋本体３の上薄片１と下薄片２に、順序交差させて溝槽５を形成する。溝槽５と溝槽５との交差しているうちに、凸体６を形成する。
凸体と凸体との間に、網の格子状の配列が形成される。
塵埃を拭く場合に、凸体６と溝槽５との間における間隔距離の差異を経由して、接触面との摩擦係数を向上させる。
【００１２】
手袋本体３の上薄片１、下薄片２の素材は、吸水棉や熱で熔着できる繊維で組成される。
超音波熔接機で以って熱熔接性の繊維を熔接したり接着する。
また、熔接可能な繊維の吸水し難い特性を利用すれば、手袋を使用するときに、持続的に乾燥状態を保持して、内部に細菌が寄生するのを回避することができる。
また、縫製による固定が不要であるので、糸がほつれて手袋が分離する恐れも排除できる。
【００１３】
また立体手袋の絨薄片７は図３に示すように角錐状８などの他の形状を採用してもよい。本例にあっては、様々な隙間の異なるニーズ（needs）に対して満足させることができる。
【００１４】
図４を参照して説明する。
同図は上薄片１の断面図である。
図示すように上薄片１は、主に基礎布２４と、塵埃を除く静電布２１から構成される。
この二枚の布２４，４１の間に、複数のパッド（pad）２２を挟んで設けて、上薄片１の表面（清潔面）に突出した立体形状を形成する。
さらに塵埃を除く静電布２１には、複数の肋薄片１０を配置して形成する。
肋薄片１０の下には収容空間９が形成される。
【００１５】
図５を参照して説明する。
同図は図４に対応する手袋本体３の正面図である。
図示すように、手袋本体３の清潔面（払拭面）において、パッド（pad）２２を入れて立体的に突出する箇所が二つの長細く形成する。
ユーザ（user）が埃を集塵する立体手袋に手を入れたあとで、手袋の立体空間を利用して、細部の清潔動作を行うことができる。
【００１６】
図６に示すように、立体手袋にパッド（pad）２２を一本だけ設置してもよい。
ニーズ（needs）に応じて、パッド（pad）２２の積み重ねることで、より高く突出すようにして、立体の程度を向上させてもよい。
【００１７】
図７は本考案の手袋本体３の背視図である。
手袋本体３の背面を形成する下薄片２は一般的に非織布層であるが、上薄片１のように、下薄片２にパッド（pad）２２を入れても良い。
そうすると、本考案の立体手袋はその両面において立体的な構造を持つことになる。
【００１８】
図８及び図９は本考案に係る立体手袋の使用状態の説明図である。
本考案に係る埃を集塵する立体手袋は机の上の汚物を取り除く以外に、壁表面の汚れも取り除くことができる。
同時に、本考案に係る立体手袋の清潔面が図４に示す複数の肋薄片１０及び収容空間９を具備するので、取り除いた汚物を容易に手袋の清潔面に固定することができる。
【図面の簡単な説明】
【００１９】
【図１】本考案に係る埃を集塵する手袋を構成する上薄片と下薄片の分解図である。
【図２】本考案に係る上薄片と下薄片の結合した埃を集塵する手袋の斜視図である。
【図３】本考案に係る手袋の絨薄片の他の形状を示す埃を集塵する手袋の説明図である。
【図４】本考案に係る埃を集塵する手袋の上薄片の断面図である。
【図５】本考案に係る埃を集塵する手袋の正面図である。
【図６】本考案のその他の形態に係る埃を集塵する手袋の正面図である。
【図７】本考案のその他の形態に係る埃を集塵する手袋の背面図である。
【図８】本考案の埃を集塵する手袋の使用状態を示す説明面である。
【図９】本考案の埃を集塵する手袋の清潔面の拡大図である。
【符号の説明】
【００２０】
１・・・・・・上薄片
２・・・・・・下薄片
３・・・・・・手袋の本体
４・・・・・・クローズド面
５・・・・・・溝槽
６・・・・・・凸体
７・・・・・・絨薄片
８・・・・・・角錐状
９・・・・・・収容空間
１０・・・・・肋薄片
２１・・・・・塵埃を除く静電布
２２・・・・・パッド（pad）
２４・・・・・基礎布
【図１】
0003128788.tif 000003
【図２】
0003128788.tif 000004
【図３】
0003128788.tif 000005
【図４】
0003128788.tif 000006
【図５】
0003128788.tif 000007
【図６】
0003128788.tif 000008
【図７】
0003128788.tif 000009
【図８】
0003128788.tif 000010
【図９】
0003128788.tif 000011